(57)【要約】【課題】農作物を鳥獣の被害から護る方法として、電気等による柵、爆音機等各種の排除方法が試みられているが、それらの効果は一時的であり、慣れにより効果が持続しない上、爆音機のように他人の迷惑になるものもあり、より効果的な撃退装置が望まれていた。【解決手段】保護区域を鳥獣から護るため、その周囲に複数の支柱と補助支柱を立て、その支柱にセンサー（赤外線センサー等）を取り付け、果樹園等センサーが効かない場所にはその周囲にワイヤーを張り、その末端にリミットスイッチを取り付け、鳥獣が侵入しようとすると検出信号を出すシステムと、この信号をリレーを介してヒーターに点火させ、同時にモーターを作動させ花火の発散筒口を鳥獣の進行方向へ向け、筒先が侵入方向へ向かって止まると同時に別のモーターを稼動させ、花火収納ドラムから花火を取り出して花火の導火線をヒーターのところに誘導して花火を爆発させて音と臭いで鳥獣を排除する方法である。【選択図】  図１
2004222574.tif 000002
【特許請求の範囲】
【請求項１】
果樹園や田畑等保護区域の周囲に図７のように複数の支柱（３０）と複数の補助支柱（３１）を立て、支柱の先端に複数のセンサー（赤外線センサー等（３２））を取り付け、センサーが効かない木や草が生えている場所等にはワイヤー（３３）を張り巡らしておき、そのワイヤーの末端にリミットスイッチ（３４）を取付けておく、保護区域に鳥獣が侵入しようとすると、センサーが物体を感知するか又は獣がワイヤーを押すとリミットスイッチが入り、本体（１）に検出信号を送るようにしておくシステムと、該検出信号をリレー（４〜８）を介してヒーターを点火させ、同時にリレー（４〜８）とリミットスイッチ（１１〜１４）を介してモーター（１６）を作動させ、花火音の発散筒口（２５）を侵入方向へむけ、該発散筒口が向き終えるのと同時にリレー（８〜１０）を介してモーター（１７）を作動させ、花火収納ドラム（２１）から花火（１９）を引き出し、花火の導火線（２０）をヒーター（２３）まで導き出し、花火を爆発させ、その音と臭いで保護区域を護る方法。
【請求項２】
上記複数の支柱（３０）及び複数の補助支柱（３１）に張るワイヤー（３３）は直径１ｍｍ前後のなるべく軽く伸縮しないもの（又は伸縮しない糸等）を使用し、獣がワイヤーに触れないで通ってしまうことがないよう、地面とワイヤー間、ワイヤーとワイヤー間を２０ｃｍ〜２５ｃｍ程として地面に平行に張り、また、リミットスイッチへの感度が鈍くならないようワイヤーの長さを２５ｍ〜３０ｍ以内にする方法が好ましい。
【請求項３】
上記請求項２のワイヤーを果樹等（高い木）の周囲に張り獣を追い払う場合には、図６のように地面に近い一番下と一番上にのみワイヤーを張り、中間は網等を張る方法が好ましい。
【請求項４】
上記請求項１及び請求項２の補助支柱（３１）を猿等が利用して保護区域に侵入しないよう、一番上に張るワイヤーを支える支柱（３０）の部分を図５〜７のように細い鉄筋等で支えるのが好ましい。
【請求項５】
上記請求項２及び請求項３のセンサー（３２）及びリミットスイッチ（ＬＳ−１〜ＬＳ−４）は、直流電源により検出信号を出しリレー（４〜８）によりその信号を保持し、その信号をリレー（４〜８）とリミットスイッチ（１２〜１５）を介してモーター（１６）を回し、鳥獣の侵入口の方向へ花火音の発散口を向ける装置。
【請求項６】
上記請求項５の発散口が向き終えるのと同時にモーター（１７）で花火収納ドラム（２１）から花火を引き出し、花火の導火線をヒーター（２３）の所へ導き出し、その導火線がヒーター（２３）までくるとリミットスイッチ（１５）で停止する装置。
【発明の詳細な説明】
【０００１】
【発明の属する技術分野】本発明は、保護区域に侵入しようとする鳥獣を検出し、検出信号により花火音の発散口を侵入方向へ向け花火を爆発させ、音と臭いで鳥獣を排除する方法に関するものである。
【０００２】
【従来の技術】農作物を鳥獣の被害から護る方法として、網、トタン及び電気による柵、爆音機、銃声音、犬の鳴き声を発生させる方法等各種の排除方法が試みられているが、それらのものは一時的であり慣れによる侵入や爆音機のように一日中鳴り続けて人の迷惑になるものもあり、より効果的な撃退装置が望まれていた。
【０００３】
【発明が解決しようとする課題】上述した従来の鳥獣の排除方法は、一時的で費用がかさみ、電気柵は草でも漏電し、爆音機は一日中定期的に鳴り続け人の迷惑になるものもある。そこで本発明は安価で持続性の高い鳥獣追い払い方法を提供するものである。
【０００４】
【課題を解決するための手段】果樹園や田畑等を鳥獣から護るため、以下図７を例とすると、その保護区域の周囲に複数の支柱（３０）と補助支柱（３１）を立て、その支柱に図１の▲１▼〜▲４▼の赤外線センサー等のセンサー（ＳＥ−１〜ＳＥ−４）を取り付け、木や丈の高い草、野菜等がある場所でセンサーが効かないところには、その周囲にワイヤー（３３）を張りそのワイヤーの末端が支柱（３０）に来るようにしておき、ワイヤー（３３）を引っ張るとリミットスイッチ（３４）が作動するようにしておく。さらに、センサー（ＳＥ−１）の支柱（３０）には、リミットスイッチ（ＬＳ−１）を、以下図１のようにセンサー（ＳＥ−２）を取り付けた支柱にはリミットスイッチ（ＬＳ−２）となるように取り付けておき、保護区域に鳥獣が侵入しようとするとセンサー（ＳＥ−１〜ＳＥ−４）かリミットスイッチ（ＬＳ−１〜ＬＳ−４）のいづれかが直流電源により本体（１）に検出信号を送るようにしておく。
【０００５】上記の信号が本体に送られると図１の▲１▼〜▲４▼のいづれかのリレーがオン状態になり、さらに図１の▲５▼のいづれかのリレー（Ｒ’−１〜Ｒ’−４）もオンになり、その信号が図１の▲５▼のリレー（Ｒ−５）のコイルに伝えられる。
【０００６】図１の▲６▼のモーター（Ｍ１）は花火音の発散口（２５）を動かすモーター（図２及び図４）であり、そのモーターを動かす電気の流れを説明するとリレー（Ｒ”−１〜Ｒ”−４）とリミットスイッチ（ＬＳ−５〜ＬＳ−８）は常にオンの状態であり、装置本体の取り付け方法に付いては、例えば図１の▲１▼のセンサー（ＳＥ−１）とリミットスイッチ（ＬＳ−１）が北方向の支柱に取り付けてあるとリミットスイッチ（ＬＳ−５）は図２の１１（ＬＳ−５）が北方向に向くよう本体を取り付けておく（以下他の方角でも同様である）。
【０００７】「０００５」のリレー（Ｒ−５）のコイルに通電すると図１の▲６▼のリレー（Ｒ−５）がオンになり、鳥獣が北の方角から侵入しようとしていた場合には、花火音の発散口（２５）を北へ向けるためにまずリレー（Ｒ−１）のコイルがリレー（Ｒ’−１）をオフ状態にするが、他のリレーとリミットスイッチ（ＬＳ−５〜ＬＳ−８）がオン状態のためにモーターが駆動し、北に向くとリミットスイッチ（ＬＳ−５）の電流がオフになりリレー（Ｒ”−１）とリミットスイッチ（ＬＳ−５）の両方がオフとなるため停止する。また、モーター（Ｍ１）が駆動している間はリレー（Ｒ−６）のコイルにも通電する。
【０００８】図１の▲６▼のリレー（Ｒ−５）がオンになるとヒーター（２３）に通電し、一方、モーター（Ｍ１）と並列につないであったリレー（Ｒ−６）のコイルがオフになるとリレー（Ｒ−６）がオンになり、リレー（Ｒ−６）がオンになるとリレー（Ｒ−７）のコイルがオンになり、リレー（Ｒ−７）のコイルがオンになるとリレー（Ｒ−７）の接点がオンになり、リレー（Ｒ−７）の接点がオンになるとモーター（Ｍ２）が駆動する。このモーターは図３の１７であり図３及び図４の花火収納ドラム（この収納庫は花火を湿気から守るためのものでもある（２１））から花火（１９）を花火爆発口（２４）まで誘導し、また、花火の導火線（２０）はヒーター（２３）まで引き出し、花火の導火線がヒーターまでくると同時にリミットスイッチ（ＬＳ−９）が働き、モーター（Ｍ２）が停止し、花火が爆発して花火の発散口（２５）から音と臭いを発散して鳥獣を追い払う装置である。
【０００９】
【発明の効果】本発明は以上説明したように構成されているため、以下に記載されるような効果を発する。
【００１０】センサーとワイヤーの両方またはワイヤーのみを使用することにより鳥獣の侵入をセンサーが効かない果樹園等ほとんどの場所で検出できるようになり、花火の爆発音を効果的に発することができるようになった。
【００１１】爆音機等のように一日中鳴らし続けることがなく経済的であり、また、他人の迷惑にもならず鳥獣が侵入しようとした時のみ音が鳴るためそのことがすぐに解る。
【００１２】鳥獣を傷つける事がない。
【００１３】昼夜を問わず効果がある。
【００１４】ほとんどすべての鳥獣を対象に追い払うことができる。
【００１５】花火音の発散口を鳥獣の方向へ向けるためより効果があり、他の場所にいる人には聞こえにくい利点がある。
【００１６】電気柵の場合、その伝染に草が一本触れても漏電するが、本発明はそのようなことがなく、また、省電力で済む。
【図面の簡単な説明】
【図１】本発明を実施するための回路図である。
【図２】本発明の本体の平面図で特に花火音の発散口の取り付け状態を重点的に示したものである。
【図３】本発明の本体の平面図で花火の動きを重点的に示したものである。
【図４】本発明は、本体の図２と図３の下方から見た断面図である。
【図５】保護区域の周囲に立てた支柱とそれに取り付けたセンサーとリミットスイッチ及びワイヤーを示したものである。
【図６】保護区域が果樹園等高い木の植えてある場所でのワイヤーの取り付け方法である。
【図７】本発明の保護区域での取り付け方法の全体図である。
【符号の説明】
１  本体
３  タイマー（ＴＩＭ）
４  リレー（Ｒ１）
５  リレー（Ｒ２）
６  リレー（Ｒ３）
７  リレー（Ｒ４）
８  リレー（Ｒ５）
９  リレー（Ｒ６）
１０  リレー（Ｒ７）
１１  リミットスイッチ（ＬＳ−５）
１２  リミットスイッチ（ＬＳ−６）
１３  リミットスイッチ（ＬＳ−７）
１４  リミットスイッチ（ＬＳ−８）
１５  リミットスイッチ（ＬＳ−９）
１６  モーター（Ｍ１）
１７  モーター（Ｍ２）
１８  バッテリー
１９  花火
２０  導火線
２１  花火収納ドラム
２２  ワイヤー回収ドラム
２３  ヒーター
２４  花火爆発口
２５  花火音発散口（筒）
２６  開閉弁
２７  リミットスイッチ停止用突起（ＬＳ−５〜ＬＳ−８）
２８  花火音発散筒回転歯車
２９  脚
３０  支柱
３１  補助支柱
３２  センサー（ＳＥ−１〜ＳＥ−４）
３３  ワイヤー
３４  リミットスイッチ（ＬＳ−１〜ＬＳ−４）
３５  網
【図１】
2004222574.tif 000003
【図２】
2004222574.tif 000004
【図３】
2004222574.tif 000005
【図４】
2004222574.tif 000006
【図５】
2004222574.tif 000007
【図６】
2004222574.tif 000008
【図７】
2004222574.tif 000009